(57)【要約】  エアゾールディスペンサ（２０）であって、米国プラスチック工業協会によって規定される単一クラスの材料を有する単一の再利用ストリームになることができる材料から形成され、特にクラス１の材料を排他的に含んで可燃性の製品／噴射剤が存在しない状態であっても良い、エアゾールディスペンサ（２０）。
2016534948.tif 000002
【特許請求の範囲】
【請求項１】
再利用可能なエアゾールディスペンサ（２０）であって、以下の構成要素、
第１の端部における閉じた端底部と第２の端部における開いた首部（２４）とを有する外側容器（２２）であって、外側容器（２２）の内部容積を画定する、外側容器（２２）と、
内部バッグ（３２）を前記首部（２４）に接合する弁カップ（２６）と、
前記エアゾールディスペンサ（２０）からの製品（４２）を選択的に分配するためのバルブアセンブリ（２８）と、
前記首部（２４）を通って周囲に漏れることを防止するシールと、
ここで、前述の構成要素はそれぞれ、米国プラスチック工業協会によって規定される単一クラスの再利用可能材料からなる群から選択され、
前記外側容器（２２）の直径は約７．６２ｃｍ以下であり、
前記外側容器（２２）の容積は約１１８ｃｃ〜約１０００ｃｃの範囲であり、
不燃性噴射剤（４０）であって、ゲージ圧力は５０℃において約１１００ｋＰａ未満である、不燃性噴射剤（４０）と、を含む、再利用可能なエアゾールディスペンサ（２０）。
【請求項２】
単一クラスの再利用可能材料から選択されるそれぞれの前記構成要素は、クラス１の再利用可能材料から選択される、請求項１に記載の再利用可能なエアゾールディスペンサ（２０）。
【請求項３】
内部バッグ（３２）であって、内部バッグ（３２）の内部容積を画定し、噴霧可能な製品（４２）を内部に有する内部バッグ（３２）をさらに含み、
前記外側容器（２２）の容積は約１１８ｃｃ〜約１０００ｃｃであり、最初の使用前は、前記内部バッグ（３２）の内部バッグ（３２）容積は、前記外側容器（２２）の容積の約９７％以下である、請求項１および２に記載の再利用可能なエアゾールディスペンサ（２０）。
【請求項４】
最初の使用前は、前記内部バッグ（３２）の内部バッグ（３２）容積は、前記外側容器（２２）容積の約７０〜約９０％である、請求項３に記載のエアゾールディスペンサ（２０）。
【請求項５】
前記製品（４２）と前記噴射剤（４０）とは、前記外側容器（２２）内で混合される、請求項１および２に記載の再利用可能なエアゾールディスペンサ（２０）。
【請求項６】
前記外側容器（２２）から前記バルブアセンブリ（２８）まで連絡し、前記混合された製品（４２）および噴射剤（４０）を分配するディップチューブ（３４）をさらに含む、請求項６に記載の再利用可能なエアゾールディスペンサ（２０）。
【請求項７】
前記噴射剤（４０）の圧力は、５０℃において約２１０〜約９６５ｋＰａの範囲である、請求項１〜６のいずれか一項に記載の再利用可能なエアゾール容器（２２）。
【請求項８】
前記ゲージ圧力は、５０℃において約６２０ｋＰａ未満である、請求項７に記載の再利用可能なエアゾールディスペンサ（２０）。
【請求項９】
前記外側容器（２２）の容積は約２８０〜約５９２ｃｃの範囲である、請求項１〜８のいずれか一項に記載の再利用可能なエアゾールディスペンサ（２０）。
【請求項１０】
製品（４２）を内部に含み、前記製品（４２）は約１５．８重量パーセント以下のエタノールおよび／またはイソプロピルアルコールを水溶性混合物中に含む、請求項１〜９のいずれか一項に記載の再利用可能なエアゾールディスペンサ（２０）。
【請求項１１】
前記外側容器（２２）は本質的にＰＥＴからなる、請求項１〜１０のいずれか一項に記載の再利用可能なエアゾールディスペンサ（２０）。
【請求項１２】
前記シールはＴＰＥを含む、請求項１〜１１のいずれか一項に記載の再利用可能なエアゾールディスペンサ（２０）。
【請求項１３】
前記シールは本質的に親水性ＴＰＥ−Ｅ系化合物からなる、請求項１２に記載の再利用可能なエアゾールディスペンサ（２０）。
【請求項１４】
前記噴射剤（４０）はトランス−１，３，３，３−テトラフルオロプロパ−１−エンを含む、請求項１〜１３のいずれか一項に記載の再利用可能なエアゾールディスペンサ（２０）。
【請求項１５】
前述の構成要素はそれぞれ、本質的にバージン原料またはその粉砕再生材料からなる、請求項１〜１４のいずれか一項に記載の再利用可能なエアゾールディスペンサ（２０）。
【発明の詳細な説明】
【技術分野】
【０００１】
本発明は、エアゾールディスペンサ、およびその構成要素の製造に関する。
【背景技術】
【０００２】
エアゾールディスペンサは当該技術分野において既知である。エアゾールディスペンサは通常、外側容器を含む。外側容器は、残りの構成要素のためのフレームとして、また内部に収容する噴射剤および製品のための圧力容器として働く。金属から作製される外側容器は、当該技術分野において既知である。しかしながら、金属容器は、高コストであり、再利用性が限定的であることから、望ましくない場合がある。プラスチックを用いる試みが当該技術分野において行なわれている。プラスチックをエアゾールディスペンサにおいて用いる当該技術分野における関連性のある試みは、米国特許第２，８６３，６９９号、同第３，３３３，７４３号、および米国特許出願第２００９／００１４６７９号において見出される。
【０００３】
外側容器は、典型的には円筒形であるが、これは必須ではない。外側容器は、水平表面（例えば棚、カウンタートップ、テーブルなど）上に置くための底部を含んでいても良い。外側容器の底部は、米国特許第３，４０３，８０４号に示すような凹角部分を含んでいても良い。外側容器の形状を画定する側壁は、底部から開いた頂部へと上方に延びる。
【０００４】
開いた頂部は、エアゾールディスペンサの追加的な構成要素を受容するための首部を画定する。業界は一般的に、様々なメーカーの構成要素の標準化のために、首部の直径を２．５４ｃｍとしているが、２０ｍｍなど、より小さい直径も使用される。様々な首部の形状が、米国特許出願第２００７／０２７８２５３１（Ａ１）号、米国特許第７，３０３，０８７号、同第７，０２８，８６６号、および本願と同一譲受人に譲渡された同第６，０１９，２５２号に示されている。
【０００５】
典型的には弁カップが首部に挿入される。弁カップは、噴射剤の漏れ、または圧力の損失を防ぐために、首部に対して封止される。弁カップは、エアゾールディスペンサのバランスとの関係で可動の弁構成要素を保持している。
【０００６】
弁カップおよび可動弁構成要素を有するエアゾールディスペンサは、消費者によって使用される製品を保持、貯蔵、および分配するための異なる実施形態を含み得る。一実施形態では、製品および噴射剤は混合される。ユーザが弁を作動させると、製品および噴射剤が一緒に分配される。この実施形態は、ディップチューブを使用し得る。ディップチューブは、外側容器の底部から製品および噴射剤の混合物を取り出す。外側容器の底部から分配することによって、ユーザは、ヘッドスペースから純粋な噴射剤を分配せずに、製品／噴射剤の混合物の分配をより達成しやすくなる。この実施形態は、例えば、シェイビングクリーム発泡体を分配するために用いても良い。
【０００７】
エアゾールディスペンサのディップチューブ実施形態は、ユーザがエアゾールディスペンサを垂直位置から傾けるときに、製品／噴射剤混合物の分配ではなく、ヘッドスペースからのガスの分配が生じ得るという不利益を有する。この不利益は、エアゾールディスペンサが、ユーザがしばしば逆さの位置から内容物全てをユーザの身体に分配する、ボディススプレーなどの製品を含む場合に生じる場合がある。
【０００８】
この不利益を克服するために、他の実施形態が使用され得る。例えば、折り畳み式の可撓性バッグが弁カップの下側の開口部に封着されてもよく、または弁カップと容器との間に配置されてもよい。このバッグは、バッグの内容物と、バッグの外側の成分との混合を制限し、またはさらには混合を防ぐ。したがって、製品はバッグ内に収容されてもよい。噴射剤が、バッグの外側と、外側容器の内側との間に配置されてもよい。弁の作動の際、バッグの外への流路が形成される。バッグと外側容器との間に配置される噴射剤からのゲージ圧により、製品の加圧が生じ、よって製品が周囲気圧へと流れる。この実施形態は一般的にバッグ・オン・バルブと呼ばれ、例えば、剃毛クリーム・ゲルを分配するのに使用され得る。いずれかの実施形態において、周囲への流れは空気清浄剤に使用される液滴を含む場合があり、またはクレンザーで生じ得る、標的表面上への堆積物を含む場合がある。
【０００９】
内部にバッグを有するエアゾール容器が複数層のプリフォームから作製されることが、もし両方の層が同じ再利用ストリームからなるかまたは本質的にこれからなる場合に、行なわれる場合がある。複数層のプリフォームは、複数の層が、ある層が他の層の中に存在する状態で配置されている場合があり、特に２つの層が配置されている場合がある（２層式プリフォームにおいて生じる）。これらの層は概ね同一の広がりを持ち、一致している場合がある。プリフォーム技術における関連する試みとしては、米国特許出願第２０１０／０３３０３１３（Ａ１）号、同第２０１０／０２３９７９９（Ａ１）号、同第２００８／０２５７８４６（Ａ１）号、同第２０１２／０１８７０６７（Ａ１）号、同第２０１２／０１３２６０７（Ａ１）号、同第２０１１／００２４４５０（Ａ１）号、同第２００８／０２５７８８３（Ａ１）号、同第２０１０／２５２５８３（Ａ１）号、米国特許第６２５４８２０号、国際特許第９１０８０９９号が挙げられる。２層式ボトル技術における他の試みではプリフォームを用いておらず、したがって製造がより高価で複雑であるという不利点がある。このような試みとしては、米国特許第３４５０２５４号、同第４３３００６６号、米国特許出願第２０１１／０２４８０３５（Ａ１）が挙げられる。
【００１０】
プラスチック製エアゾール容器に伴う問題が長い間存在している。例えば、報告されているプラスチック製エアゾール容器の破裂は１９５９にまで遡る。Ｍ．Ｊｏｈｎｓｅｎ，Ｐｈ．Ｄ．によるＴｈｅ  Ｅｌｕｓｉｖｅ  Ｐｌａｓｔｉｃ  Ａｅｒｏｓｏｌ  Ｐａｒｔ  １，ＳＰＲＡＹ  ＴＥＣＨＮＯＬＯＧＹ  ＆  ＭＡＲＫＥＴＩＮＧ、４月、２００９年、ページ２０を参照のこと。エアゾールのＤＯＴ規制も１９５０年代に遡る。同上、１９５２年。２００５年〜２００６年に免除が許可されたが、特定のプラスチック製エアゾールに関してのみであった。Ｍ．Ｊｏｈｎｓｅｎ，Ｐｈ．Ｄ．によるＴｈｅ  Ｅｌｕｓｉｖｅ  Ｐｌａｓｔｉｃ  Ａｅｒｏｓｏｌ  Ｐａｒｔ  ２，ＳＰＲＡＹ  ＴＥＣＨＮＯＬＯＧＹ  ＆  ＭＡＲＫＥＴＩＮＧ、６月、２００９年、ページ１８〜１９を参照のこと。
【００１１】
プラスチック製エアゾールに適していると判断されている材料の１つはＰＥＴであり、３０年以上用いられている。同上の１７。ＰＥＴは通常、ＰＥＮよりも安価であるが、透過性は高い。同上の１８。透過性の問題を打開するために、当業者は炭化水素噴射剤を選ぶ場合がある。なぜならば、炭化水素噴射剤はＰＥＴを透過しないことが報告されているからである。同上のＴｈｅ  Ｅｌｕｓｉｖｅ  Ｐｌａｓｔｉｃ  Ａｅｒｏｓｏｌ  １、ＳＰＲＡＹ  ＴＥＣＨＮＯＬＯＧＹ  ＆  ＭＡＲＫＥＴＩＮＧ、４月、２００９、ページ２２。
【００１２】
いったんエアゾールディスペンサが製造され、小売店に出荷され、消費者に販売され、消費者が使用すると、エアゾールディスペンサ内の製品は最終的には使い果たされる。使い果たすと、エアゾールディスペンサは通常、廃棄される。廃棄されると、埋立地が増え、潜在的に使用可能な材料の再利用が行なわれない。再利用は、埋立地を減らし、エネルギーを節約し、原材料を別のエアゾールディスペンサまたは他の製品内で再使用する機会を提供する。しかし再利用にはその独自の問題がある。
【００１３】
例えば、再利用プラントにおける火災が報告されている。例えば、火災の発生は、２００７年に遡って再資源化倉庫（Ｄａｙｔｏｎ、ＯＨ）で報告され、つい最近の２０１３年には４、０００トン／１日のプラント（Ｎｅｗ  Ｊｅｒｓｅｙ）で報告されている。
【００１４】
さらに他の再利用問題としては、種々の材料を消費者パッケージ物品（たとえばエアゾールディスペンサ）から分離して、再利用可能な材料蒸気にすることが挙げられる。米国プラスチック工業協会［ＳＰＩ］は、広く用いられる樹脂同定システムを開発した。ＳＰＩシステムでは樹脂を７つのクラス（以下で説明する）に分類している。以下に示すリストは、各クラスのポリマーが異なる融解温度［Ｔｍ、℃］、ガラス転移温度［Ｔｇ、℃］、およびヤング率［ＹＭ、ＧＰａ］を有することを示している。
【００１５】
2016534948.tif 000003
【００１６】
ポリエチレンテレフタレート（ＰＥＴ、ＰＥＴＥ）
透明度、強度、靱性、ガスおよび湿度に対するバリア。
【００１７】
ソフトドリンク、水およびサラダドレッシング用のボトル、ピーナッツバターおよびジャム入れ。
Ｔｍ＝２５０、Ｔｇ＝７６
ＹＭ＝２〜２．７
【００１８】
2016534948.tif 000004
【００１９】
高密度ポリエチレン（ＨＤＰＥ）
剛性、強度、靱性、耐湿性、ガス透過性。
【００２０】
送水管、フラフープリング、５ガロンバケツ、ミルク、ジュースおよび水用のボトル；食料雑貨類バッグ、一部のシャンプー／洗面用品用のボトル
Ｔｍ＝１３０、Ｔｇ＝−１２５
ＹＭ＝０．８
【００２１】
2016534948.tif 000005
【００２２】
ポリ塩化ビニル（ＰＶＣ）
汎用性、ブレンディング容易性、強度、靱性。
【００２３】
非食料品用のブリスターパッケージ、非食料品用のクリングフィルム。本来的に剛性であるＰＶＣを可撓性にするために必要な可塑剤は通常、有毒であるので、食品包装には使用されない。非パッケージング用途は電気ケーブル絶縁、剛性配管、ビニールレコードである。
Ｔｍ＝２４０、Ｔｇ＝８５
ＹＭ＝２．４〜４．１
【００２４】
2016534948.tif 000006
【００２５】
低密度ポリエチレン（ＬＤＰＥ）
処理容易性、強度、靱性、可撓性、シール容易性、防湿バリア。
【００２６】
冷凍食品用バッグ、スクイーズボトル（例えば、蜂蜜、マスタード）、クリングフィルム、可撓性容器の蓋。
Ｔｍ＝１２０、Ｔｇ＝−１２５
ＹＭ＝０．１７〜０．２８
【００２７】
2016534948.tif 000007
【００２８】
ポリプロピレン（ＰＰ）
強度、靱性、熱、化学薬品、グリースおよびオイルに対する耐性、汎用性がある、防湿バリア。
【００２９】
再利用可能な電子レンジ対応用品、台所用品、ヨーグルト容器、マーガリンのタブ型容器、電子レンジ対応の使い捨て持ち帰り用容器、使い捨てカップ、プレート。
Ｔｍ＝１７３、Ｔｇ＝−１０
ＹＭ＝１．５〜２
【００３０】
2016534948.tif 000008
【００３１】
ポリスチレン（ＰＳ）
汎用性、透明性、形成容易性
鶏卵箱、ピーナッツの包装、使い捨てカップ、プレート、トレイおよび刃物類、使い捨ての持ち帰り用容器、
Ｔｍ＝２４０（アイソタクチックのみ）、Ｔｇ＝１００（アタクチックおよびアイソタクチック）
ＹＭ＝３〜３．５
【００３２】
2016534948.tif 000009
【００３３】
その他（多くの場合にポリカーボネートまたはＡＢＳ）
ポリマーまたはポリマーの組み合わせに依存する
飲料用ボトル、ベビーミルク用ボトル。ポリカーボネートに関しては包装以外の用途。コンパクト・ディスク、「壊れない」板ガラス、電子機器ハウジング、レンズ（例えばサングラス、度付きメガネ）、自動車ヘッドランプ、ライオットシールド、計器パネル。
ポリカーボネート：Ｔｇ＝１４５、Ｔｍ＝２２５
ポリカーボネート：ＹＭ＝２．６、ＡＢＳプラスチック：ＹＭ＝２．３
【００３４】
したがって、再利用した材料を分離して種々のクラスにすることは効率的でなければならないことが報告されている。なぜならば、樹脂加工のタイミングが少しでも不適切だと、再利用混合物に悪影響をもたらす可能性があるからである。ｈｔｔｐ：／／ｅｎ．ｗｉｋｉｐｅｄｉａ．ｏｒｇ／ｗｉｋｉ／Ｒｅｓｉｎ＿ｉｄｅｎｔｉｆｉｃａｔｉｏｎ＿ｃｏｄｅ。
【００３５】
問題を複雑にしているのは、すべてのクラスの材料がすべての地域で再利用されているわけではないことである。どの材料が再利用できて、どの材料が再利用できないかに関して、混乱が生じる可能性がある。
【００３６】
さらに問題を複雑にしているのは、エアゾールディスペンサの製造および輸送を管理する様々な規制である。再利用しても良いすべての構成が、製造または販売可能なわけではない。問題はさらに複雑である。
【００３７】
さらに問題を複雑にしているのは、材料を種々の再利用ストリームに分離するために広く用いられている技術である（通常は、液体中に浮遊させる／沈ませるまたはＩＲ分離する）。これらの技術は、小部分に対して効果的でない場合があるか（多くの場合、エアゾール容器において見出される）、または互いに化学的に結合された部分に対して効果的でない場合がある。
【先行技術文献】
【特許文献】
【００３８】
【特許文献１】米国特許第２，８６３，６９９号
【特許文献２】米国特許第３，３３３，７４３号
【特許文献３】米国特許出願第２００９／００１４６７９号
【特許文献４】米国特許第３，４０３，８０４号
【特許文献５】米国特許出願第２００７／０２７８２５３１（Ａ１）号
【特許文献６】米国特許第７，３０３，０８７号
【特許文献７】米国特許第７，０２８，８６６号
【特許文献８】米国特許第６，０１９，２５２号
【特許文献９】米国特許出願第２０１０／０３３０３１３（Ａ１）号
【特許文献１０】米国特許出願第２０１０／０２３９７９９（Ａ１）号
【特許文献１１】米国特許出願第２００８／０２５７８４６（Ａ１）号
【特許文献１２】米国特許出願第２０１２／０１８７０６７（Ａ１）号
【特許文献１３】米国特許出願第２０１２／０１３２６０７（Ａ１）号
【特許文献１４】米国特許出願第２０１１／００２４４５０（Ａ１）号
【特許文献１５】米国特許出願第２００８／０２５７８８３（Ａ１）号
【特許文献１６】米国特許出願第２０１０／２５２５８３（Ａ１）号
【特許文献１７】米国特許第６２５４８２０号
【特許文献１８】国際特許第９１０８０９９号
【特許文献１９】米国特許第３４５０２５４号
【特許文献２０】米国特許第４３３００６６号
【特許文献２１】米国特許出願第２０１１／０２４８０３５（Ａ１）
【非特許文献】
【００３９】
【非特許文献１】Ｍ．Ｊｏｈｎｓｅｎ，Ｐｈ．Ｄ．によるＴｈｅ  Ｅｌｕｓｉｖｅ  Ｐｌａｓｔｉｃ  Ａｅｒｏｓｏｌ  Ｐａｒｔ  １，ＳＰＲＡＹ  ＴＥＣＨＮＯＬＯＧＹ  ＆  ＭＡＲＫＥＴＩＮＧ、４月、２００９年、ページ２０
【非特許文献２】Ｍ．Ｊｏｈｎｓｅｎ，Ｐｈ．Ｄ．によるＴｈｅ  Ｅｌｕｓｉｖｅ  Ｐｌａｓｔｉｃ  Ａｅｒｏｓｏｌ  Ｐａｒｔ  ２，ＳＰＲＡＹ  ＴＥＣＨＮＯＬＯＧＹ  ＆  ＭＡＲＫＥＴＩＮＧ、６月、２００９年、ページ１８〜１９
【非特許文献３】Ｔｈｅ  Ｅｌｕｓｉｖｅ  Ｐｌａｓｔｉｃ  Ａｅｒｏｓｏｌ  １、ＳＰＲＡＹ  ＴＥＣＨＮＯＬＯＧＹ  ＆  ＭＡＲＫＥＴＩＮＧ、４月、２００９、ページ２２
【発明の概要】
【発明が解決しようとする課題】
【００４０】
したがって、プラスチック製エアゾール容器の構造は、長期間に渡るエアゾールの必要性を満たすと共に、便利に再利用できるように作られていなければならない。このような構造では、外側容器（通常は最大で僅か１グラムの重量の構成要素）以外も考慮すべきである。このような構造はさらに、副次的な構成要素および噴射剤でさえ考慮しなければならない。したがって、新しいアプローチが求められている。
【課題を解決するための手段】
【００４１】
本発明はエアゾールディスペンサを含む。エアゾールディスペンサは、米国プラスチック工業協会によって規定される単一クラスの材料を有する単一の再利用ストリームになることができる材料から作製されても良い。エアゾールディスペンサは特に、クラス１の材料を含むか、これらを排他的に含むか、本質的にこれらからなるか、またはこれらからなり、可燃性材料が存在しなくても良い。
【図面の簡単な説明】
【００４２】
【図１】プラスチック製の外側容器およびバッグを有する、本発明によるエアゾールディスペンサの斜視図である。
【図２Ａ】折り畳み式バッグを有する、図１のエアゾールディスペンサの分解斜視図である。
【図２Ｂ】ディップチューブを有する、図１のエアゾールディスペンサの分解斜視図である。
【発明を実施するための形態】
【００４３】
図１、２Ａ、および２Ｂを参照すると、エアゾールディスペンサ２０が示されている。エアゾールディスペンサ２０は、このようなディスペンサに使用することができる加圧可能な外側容器２２を含む。外側容器２２は、当該技術分野において既知のプラスチックまたは金属を含み得る。外側容器２２は、開口部を有し得る。開口部は典型的に、加圧可能な容器がその使用位置にあるときに、加圧可能な容器の頂部にある。開口部は、他の構成要素が封止される首部２４を画定する。
【００４４】
弁カップ２６は、以下でさらに詳述されるように、外側容器２２の開口部に封止され得る。弁カップ２６を外側容器２２の首部に対して封止することを、エアゾールディスペンサの他の構成要素に対して選択された同じクラスの材料を用いて行なっても良い。クラス１の熱可塑性エラストマー［ＴＰＥ］を再利用することを、シール材料に対して選択しても良い。
【００４５】
ＴＰＥ材料を、使用に望ましい噴射剤４０および／または製品４２に対して耐性があるように選択しても良い。ＰＥＴに対する接着およびシリコーン油に対する耐化学性が得られるように配合された親水性ＴＰＥ−Ｅ系化合物を、エアゾールディスペンサ２０における１または複数の構成要素として用いても良い。Ｋｒａｉｂｕｒｇ  ＴＰＥ  ＧｍｂＨ  ＆  Ｃｏ  ＫＧ（Ｗａｌｄｋｒａｉｂｕｒｇ，Ｇｅｒｍａｎｙ）によってＨｃｃ８７９１−５２の名前で販売されるクラス１のＴＰＥ材料も好適な場合がある。
【００４６】
続いて弁アセンブリ２８が弁カップ２６内に配置され得る。弁アセンブリ２８は、製品４２がユーザによって選択的に分配されるまで、製品４２をエアゾールディスペンサ２０内に保持する。弁アセンブリ２８は、作動装置３０によって選択的に作動され得る。
【００４７】
弁アセンブリ２８の選択的な作動により、ユーザは所望の量の製品４２を必要に応じて分配することができる。本発明とともに使用するための例示的および非限定的な製品４２としては、剃毛クリーム、剃毛フォーム、ボディスプレー、ボディウォッシュ、香水、クレンザー、空気洗浄剤、収れん剤、食物、塗料などが挙げられる。
【００４８】
外側容器２２内に製品供給装置があってもよい。製品供給装置は、図２Ａに示されるように、折り畳み式バッグ３２を含んでもよい。折り畳み式バッグ３２は、容器の首部２４、および／または弁アセンブリ２８と封止関係で載置されてもよい。この構成は、バッグ・オン・バルブとして、当該技術分野において既知である。折り畳み式バッグ３２は内部に製品４２を保持し、このような製品４２が噴射剤４０と混合するのを防ぐことができる。噴射剤４０は、折り畳み式バッグ３２の外側でかつ外側容器２２の内側に貯蔵されてもよい。
【００４９】
折り畳み式バッグ３２は、製品４２を充填する際に拡張してもよい。このような拡張は、外側容器２２の内側で利用可能な容積を減少させる。利用可能な容積を小さくすると、該容積内の任意の噴射剤４０の圧力がボイルの法則に従って増加する。
【００５０】
製品供給装置は、図２Ｂに示されるように、ディップチューブ３４を代替的または追加的に含むことがある。ディップチューブ３４は、弁アセンブリ２８に封止された近位端から延びる。ディップチューブ３４は、外側容器２２の底部と並列する遠位端で終端してもよい。この実施形態は、製品４２および噴射剤４０の混合をもたらす。両方が、ユーザによる弁アセンブリ２８の選択的作動に応答して、共に分配される。この場合も、製品４２および／または噴射剤４０を外側容器２２内に挿入すると、内部の圧力がボイルの法則に従って増加する。
【００５１】
図２Ａ、２Ｂを参照すると、エアゾールディスペンサ２０およびその構成要素は、長手方向軸を有していても良く、また任意に丸い断面を有する軸対称であっても良い。あるいは、外側容器２２、製品供給装置、弁アセンブリ２８などは偏心であってもよく、正方形、楕円形、または他の断面を有してもよい。
【００５２】
外側容器２２はプラスチック製の加圧可能容器を含んでいても良い。プラスチックはポリマーであってもよく、特にＰＥＴを含んでもよい。弁アセンブリ２８、および任意の弁カップ２６は、以下に記載されるように、外側容器２２の首部２４に溶接されてもよい。弁カップ２６を既知の方法で首部２４に固定しても良い。
【００５３】
任意の数の既知のバルブアセンブリが、本発明とともに利用可能な場合がある。１つの好適な非限定的な例が示される。この例において、剛性のスリーブ５４は、不透過性封止によりバッグの頂部に取り付けられてもよい。弾性変形可能なプラグは、スリーブ５４に緊密に挿入され得る。スリーブ５４内での下方向のプラグの長手方向の運動は、製品４２が選択的に分配されることを可能にする。スリーブ５４は、任意の弁カップ２６に不透過性接合されてもよい。弁カップ２６は次に、外側容器２２の首部２４に接合されてもよい。好適なプラグおよびスリーブ５４の種類の弁アセンブリ２８は、本願と同一譲受人に譲渡された特許出願公開第２０１０／０１３３３０１（Ａ１）号および／または同第２０１０／０１３３２９５（Ａ１）号の教示に従って作製され得る。
【００５４】
加圧可能な容器は噴射剤４０をさらに含んでもよい。噴射剤４０は、外側容器２２と製品供給装置との間に配置されてもよい。あるいは噴射剤４０は、外側容器２２および／または折り畳み式バッグ３２内に配置されてもよい。典型的には、外側容器２２内の圧力は、折り畳み式バッグ３２内の圧力よりも高く、よって製品４２はバッグ内から分配され得る。ディップチューブ３４が製品供給装置のために選択される場合、噴射剤４０および製品４２が混合されてもよく、したがって一緒に分配され得る。外側容器２２内の噴射剤４０の圧力は、環境へのおよび任意により標的表面への製品４２の分配／製品４２／噴射剤４０の共分配を提供する。標的表面としては、製品４２によって洗浄すべきかそうでない場合には処理すべき表面（皮膚など）を挙げることができる。このような分配は、ユーザがバルブアセンブリ２８を作動させることに応答して生じる。
【００５５】
構成要素をより詳細に検討すると、加圧可能な容器は、その中に弁カップ２６を有するまたはその中に弁カップ２６を配置することができる孔を有する外側容器２２を含んでいても良い。ユーザにより作動される弁アセンブリ２８は、弁カップ２６内に配置され得る。製品供給装置は、弁カップ２６に接合されてもよい。噴射剤４０は、外側容器２２と製品供給装置との間に配置されてもよい。製品４２および噴射剤４０は、別個に分配され得るか、または一緒に分配され得る。
【００５６】
製品供給装置が可撓性の折り畳み式バッグ３２を含む場合、噴射剤４０の圧力境界は、部分的に折り畳み式バッグ３２によって形成される。製品供給装置がディップチューブ３４を含む場合、噴射剤４０の圧力境界は、弁が閉じられたときに、部分的に弁アセンブリ２８の下側によって形成される。
【００５７】
所望により、外側容器２２、弁カップ２６、弁アセンブリ２８、ディップチューブ３４、および／または折り畳み式バッグ３２は、ポリマーであり得る。ポリマーとは、構成要素が、プラスチックである材料から形成されることを意味し、ポリマー、および／または特定のポリオレフィン、ポリエステル、またはナイロンを含む。したがって、エアゾールディスペンサ２０全体、またはその特定の構成要素は、金属を有さなくてもよく、マイクロ波エネルギーへの暴露が可能となる。
【００５８】
したがって、本発明によるエアゾールディスペンサ２０、またはそのための加圧可能な容器は、マイクロ波にかけることができる。エアゾールディスペンサ２０、またはそのための加圧可能な容器のマイクロ波による加熱は、分配前に製品４２の加熱をもたらす。分配前の製品４２の加熱は、製品４２が皮膚に塗布される場合（低粘度でより効果的となるので）または食される場合には、より望ましい場合がある。
【００５９】
所望により、外側容器２２、折り畳み式バッグ３２、および／またはディップチューブ３４は、透明であるか、または実質的に透明であってもよい。製品供給装置として用いる外側容器２２および折り畳み式のバッグ３２が両方とも透明である場合、この構成によって、製品４２がなくなりそうなときに消費者がそれに気付くという利益が得られると共に、製品４２の特性（たとえば、色彩、粘度など）の伝達を改善することが可能になる。また容器のラベリングまたは他の装飾が加えられる背景が透明な場合、容器のこれら装飾はがより明らかとなり得る。あるいは、または代替的に、外側容器２２、折り畳み式バッグ３２などは、透明であっても、同様の若しくは異なる色で着色されてもよい。
【００６０】
外側容器２２は、エアゾールディスペンサ２０の長手方向軸を画定してもよい。外側容器２２は図のように軸対称であってもよく、または偏心であってもよい。丸い断面が示されているが、本発明はこれに限定されない。断面は、四角形、楕円形、不規則などであっても良い。さらに、断面は、図示するように略一定であっても良いし、または可変であっても良い。変断面が選択される場合、外側容器２２は、バレル形、砂時計型、または単調にテーパ状であってもよい。
【００６１】
外側容器２２の軸方向高さは６〜４０ｃｍの範囲であってもよく、丸い設置面積が選択された場合の直径は４〜６０ｃｍであり得る。外側容器２２は、製品供給装置などの内部のあらゆる構成要素を除き、１１５〜１０００ｃｃの範囲の容積を有してもよい。外側容器２２は、射出延伸吹込成形されてもよい。この場合、射出延伸吹込成形プロセスは、８、８．５、９、９．５、１０、１２、１５、または２０などの伸張比率を提供してもよい。
【００６２】
外側容器２２は、基部上に位置してもよい。基部は外側容器２２、およびエアゾールディスペンサ２０の底部上に配置される。好適な基部としては、基部カップとともに用いる花弁状の基部、シャンパン底、半球または他の凸状の基部が挙げられる。または外側容器２２は、任意の平底を有する平坦な基部を有し得る。
【００６３】
平底は、容器の底の凹部であり、容器の首部２４に向かって延びる。平底は、容器の底部の設置面積によって画定されるものよりも小さな直径を有するため、平底は容器の底部の一般的な凹部から区別可能である。平底は、長手方向軸を中心として軸対称であってもよい。平底の頂点は、長手方向軸と一致してもよい。
【００６４】
外側容器２２の側壁もまた、直径を画定する。容器の側壁および底部は、面取り部によって接続されてもよい。本明細書において使用されるとき、面取り部とは、半径方向でとった際に実質的に平坦である、角度を有する壁部を指す。面取り部は、長手方向軸に対して、少なくとも３０°、３５°、または４０°、かつ６０°、５５°、または５０°以下の角度を有してもよい。別の場合において、面取り部は、長手方向軸に対して４５°であり得る。
【００６５】
所望により、容器の底部は、半径方向を向いた内側リブを含み得る。リブは、同様の形状のものであってもよく、長手方向軸から外側に離間している場合がある。各リブは、外側容器２２の側壁を区切ってもよい。リブは、隣接するリブから周囲方向に等間隔であってもよい。
【００６６】
前述の半径割合および平底直径対面積の比に適合するプラスチックの外側容器２２は、１００〜９７０ｋＰａの範囲の圧力下ではクリープを起こさず、側壁厚さが０．５ｍｍ未満であることが分かっている。外側容器２２は、内部ゲージ圧力１００〜９７０、１１０〜４９０、または２７０〜４２０ｋＰａまで加圧される場合がある。特定のエアゾールディスペンサ２０は、１１００ｋＰＡの初期噴射剤４０の圧力、および１２０ｋＰａの最終噴射剤４０の圧力、９００ｋＰＡの初期噴射剤４０の圧力、および３００ｋＰａの最終噴射剤４０の圧力、５００ｋＰＡの初期噴射剤４０の圧力、および０ＫＰａの最終噴射剤４０の圧力等を有し得る。
【００６７】
ユーザに提示されるエアゾールディスペンサ２０は、初期圧力を有してもよい。初期圧力は、特定の充填操作において生じる最高圧力であり、製品供給装置から製品４２がまだ分配されない状態に対応する。製品４２が消耗すると、外側容器２２は最終圧力に近づく。最終圧力は、製品供給装置の僅かな残りを除く、実質的に全製品４２の消耗に対応する。
【００６８】
したがって、好適な外側容器２２は、過剰な材料使用、およびこれに伴う費用、およびこれに伴う処分の問題を伴うことなく作製され得る。材料の使用を低減することにより、ユーザに、無駄な地中廃棄物が生じず、二酸化炭素の排出が低減することを確信させることができる。
【００６９】
外側容器２２およびすべての他の構成要素（ＴＰＥシール以外）は、ＤＯＴ  ＳＰ  １４２２３を満たすために、ＰＥＴ、ＰＥＮ、Ｎｙｌｏｎ  ＥＶＯＨ、またはそれらのブレンドを含むか、本質的にこれらからなるか、またはこれらからなっていても良い。このような材料を、ＳＰＩが定める前述した単一クラスの再利用可能材料から選択しても良い。
【００７０】
本明細書において記載および請求される発明は、再利用の容易性を対象としたものである。したがって、外側容器２２およびすべての他の構成要素用に用いるプラスチック材料が、再び規制上の要件を満たすために、バージン原料（たとえば、粉砕再生材料）を含むか、本質的にこれらからなるか、またはこれらからなっていても良いということは直観に反している。エアゾールディスペンサのすべての構成要素（たとえば、シール）は、ＳＰＩが定める前述した単一クラスの再利用可能材料用に排他的に、単独で、および唯一選択された材料を含んでも良く、本質的にこれらからなっても良く、またはこれらからなっても良い。特に、クラス１の材料を、本発明のエアゾールディスペンサ２０で排他的に、単独で、および唯一用いても良い。
【００７１】
外側容器２２およびエアゾールディスペンサ２０は、詰め替え可能でなくても良く、エアゾールディスペンサ２０の破壊／全体変形を伴うことなく再使用するのを防止するために取り外せない方法で封止されていても良い。外側容器２２にインジウム「ＤＯＴ  ＳＰ  １４２２３」を永続的にプリントして、コンプライアンスを示しても良い。
【００７２】
外側容器２２の上部付近において、外側容器２２は、首部２４を有し得る。首部２４は、肩部２５によって容器側壁に接続されてもよい。肩部２５は、より具体的には、半径により側壁に接続され得る。肩部２５は、環状の平坦部を有し得る。首部２４は、差厚をもたらすために、外側容器２２の上部において、首部２４のより低い部分におけるよりも大きな厚さを有することがある。このような差厚は、内側に段差付きの首部２４の厚さを有することによって達成され得る。
【００７３】
前述の文献では、炭化水素噴射剤は不透過であるのでＰＥＴと使用するために選択しても良いと述べている。この文献とは反対に、本発明では任意の好適な不燃性噴射剤４０を用いても良い。
【００７４】
同様に、製品４２は可燃性であって良い。可燃性であることおよび可燃性でないことの判定は、ＡＳＴＭ  Ｄ  ９２（クリーブランド開放式試験機による引火点および燃焼点の標準試験方法）に従って燃焼点の不在により行なっても良い。製品４２は、「持続的な燃焼性に対する試験方法」、４９  ＣＦＲ  １７３、付録Ｈに従って、不燃性噴射剤４０を用いてテストしたときに、持続的な燃焼を示さない場合がある。製品４２は、最大で２０容量％／１５．８重量％のエタノールおよび／またはイソプロピルアルコールを、水溶性混合物および不燃性噴射剤中に含んでいても良い。製品４２は、４重量％以下の乳化された可燃性液化ガス噴射剤４０を水性基剤中に含有していても良い。噴射剤４０は、製品４２の寿命の間、乳化されたままであっても良く、あるいは不燃性であっても良い。このような要因の組み合わせによって、容積が１１８ｍｌ（４液量オンス）よりも大きい外側容器２２を、ＮＦＰＡ  １３（スプリンクラシステムの設置に対する基準）において規定されているクラスＩＩＩの品物と等価にすることができると考えられる。いずれの場合でも、米国では、エアゾール製品の製造および貯蔵に関するＮＦＰＡ  ３０Ｂコードに違反してはならない。
【００７５】
噴射剤４０は、窒素、空気およびこれらの混合物を含んでいても良い。米国連邦官報４９  ＣＦＲ  １．７３．１１５、クラス２、ディビジョン２．２に列記された噴射剤４０も許容できると考えられる。噴射剤４０は特に、トランス−１，３，３，３−テトラフルオロプロパ−１−エン、および任意にＣＡＳ番号１６４５−８３−６ガスを含む場合がある。１つのこのような噴射剤４０は、Ｈｏｎｅｙｗｅｌｌ  Ｉｎｔｅｒｎａｔｉｏｎａｌ（Ｍｏｒｒｉｓｔｏｗｎ，Ｎｅｗ  Ｊｅｒｓｅｙ）から商標名ＨＦＯ−１２３４ｚｅまたはＧＷＰ−６で市販されている。
【００７６】
所望により、噴射剤４０は、凝縮性であり得る。凝縮性とは、外側容器２２内のおよび使用中に生じる圧力下において、噴射剤４０が、気体状の物質から液体状の物質へと変化することを意味する。一般的に、最高圧力は、エアゾールディスペンサ２０に製品４２が充填された後で、ユーザによって製品４２が最初に分配される前に生じる。凝集性噴射剤４０は、製品４２が使用中に消耗する際に、減圧曲線を平坦化する利益をもたらす。
【００７７】
凝縮性噴射剤４０は、所定の圧力において容器により多くの体積の気体を入れることができる利益をもたらす。外側容器２２と製品供給装置との間の空間から、十分な体積の製品４２を分配する際に、凝縮性噴射剤４０は気体状の物質へと素早く戻ることができる。
【００７８】
弁カップ２６は、首部２４周辺部に対して補完的な弁カップ２６周辺部を有し得る。弁カップ２６および／または容器首部２４の少なくとも１つが内部を通じたチャネル５０を有してもよい。加えて、または代替的に、チャネル５０が、弁カップ２６と容器首部２４との境界面に形成されてもよい。
【００７９】
所望の噴射剤４０の圧力に達すると、弁カップ２６は、首部２４、または外側容器２２の上部に封止され得、そこからの漏れを防ぐ。チャネル５０が弁カップ２６と容器首部２４との間の境界面以外の位置で使用されると、このようなチャネル５０は同様に封止され得る。
【００８０】
封止は、当該技術分野において既知であるように、音波溶接または超音波溶接により行ってもよい。あるいは、またはそれに加えて、当該技術分野において既知であるように、封止は、回転溶接、振動溶接、接着剤結合、レーザー溶接、またはプラグをポートに嵌め込むことによって行ってもよい。所望により、弁カップ２６および外側容器２２は、封止を改善するために、同一または緊密に適合したメルトインデックスを有し得る。溶接装置は、Ｂｒａｎｓｏｎ  Ｕｌｔｒａｓｏｎｉｃｓ  Ｃｏｒｐ．（Ｄａｎｂｕｒｙ  ＣＴ）から入手可能である。
【００８１】
所望により、弁カップ２６は、圧力嵌め、締まり嵌め、溶媒溶接、レーザー溶接、振動溶接、回転溶接、接着剤、またはこれらのいずれかの組み合わせを使用して、容器に封止され得る。中間構成要素、例えば、スリーブ５４またはコネクタが、任意により弁カップ２６と首部２４または外側容器２２の頂部の中間に配置されてもよい。このようないずれかの構成は、圧力を維持するために十分な封止が生じる限りにおいて適切である。
【００８２】
加圧可能な容器２２に充填する製品４２の量は、エアゾールディスペンサ２０から製品４２を分配して実質的に使い果たすのに十分な圧力（ユーザに最初に示されるように）が得られるようなものであっても良い。実質的に全ての製品４２が消耗した後の最終圧力は、初期圧力よりも低い。
【００８３】
製品４２は、当該技術分野において既知であるように、弁アセンブリ２８を介して容器内に充填され得る。製品４２が容器内に充填されると、製品４２は噴射剤４０の圧力を増加させる。噴射剤４０の圧力の増加は、折り畳み式バッグ３２が製品供給装置として使用される場合には、バッグ３２の体積の増加により生じる。同様に、噴射剤４０の圧力の増加は、ディップチューブ３４が選択される場合には、外側容器２２内の製品４２のモル数の増加により生じる。エアゾールディスペンサ２０の作製は、本願と同一譲受人に譲渡された米国特許出願第２０１２／０２９２３３８（Ａ１）号、同第２０１２／０２９１９１１（Ａ１）号、および／または同第２０１２／０２９１９１２（Ａ１）号に従って行なっても良い。
【００８４】
製造の第１段階の終わりにおける噴射剤４０の圧力は、エアゾールディスペンサ２０の耐用寿命の最後の圧力（本明細書において最終圧力と称される）と対応し得る。製造の第２段階の最後における噴射剤４０の圧力は、ユーザに最初に提示される圧力に対応し得る。
【００８５】
噴射剤４０は、実質的に全ての製品４２が消耗されたときの、エアゾールディスペンサ２０の最終的な圧力に対応する圧力で提供されてもよい。噴射剤４０は、３００、２５０、２２５、２１０、２００、１７５または１５０ｋＰａ以下の圧力に充填されてもよい。噴射剤４０は、５０、７５、１００または１２５ｋＰａ以上の圧力に充填されてもよい。本明細書で引用するゲージ圧力は、製造時、および最初に使用する前の、外側容器２２内部の初期圧力として解釈すべきである。
【００８６】
しかし、便利に再利用されるように意図されたエアゾールディスペンサ２０に対して、すべての圧力が等しく適しているわけではない。特に、内部ゲージ圧力は、表に記載する理由から、下表Ｉに示す値のいずれかの間の範囲であっても良い。
【００８７】
【表１】
2016534948.tif 000010
【００８８】
しかし単に噴射剤４０のゲージ圧力が適切なだけでは、エアゾールディスペンサ２０を便利に再利用可能にするには不十分な場合がある。さらに加えて、外側容器２２の全容積は、表に記載する理由から、下表ＩＩに示す値のいずれかの間の範囲であっても良い。
【００８９】
【表２】
2016534948.tif 000011
【００９０】
製品４２の全容積（外側容器２２の容積の割合として）は、表に記載する理由から、下表ＩＩＩに示す値のいずれかの間の範囲であっても良い。製品４２の容積は、製造中および最初の使用の前に製品４２がその中に入れられる内部バッグ３２の容積であるとしている。
【００９１】
【表３】
2016534948.tif 000012
【００９２】
また外側容器２２は、４９  ＣＦＲ  ３０６に従って最大直径が７．６２ｃｍ［３インチ］であっても良い。また外側容器２２は４９  ＣＦＲ  ２．２に従って不燃性噴射剤を有していても良い。
【００９３】
エアゾールディスペンサ２０（特にその外側容器２２）は、バースト圧力が少なくとも１１００ｋＰａ（５４．４℃にて）であっても良く、さらにバースト圧力が少なくとも１６５０ｋＰａ（２０℃にて）であっても良い。これらのバースト圧力を満たせば、ＤＯＴ免除を用いる必要性は回避されると考えられる。
【００９４】
複数の弁を単一の外側容器２２とともに用いても良い。この構成は、製品４２および噴射剤４０が使用時に混合されて、相溶性のない材料の間の相乗効果を可能にするという利益をもたらす。この構成はまた、噴射剤４０の供給が製品４２に推進力をもたらし、多くの場合において、より小さな粒径分布を生じるという利益をもたらす。より小さな粒径分布は、均一な製品４２の分布、および過度の湿潤を最小限にするために有利であり得る。
【００９５】
本明細書で開示した寸法および値は、説明した正確な数値に厳密に限定されると理解してはならない。その代わりに、特に指示がない限り、このような各寸法は、記載された値およびその値を囲む機能的に等価な範囲の両方を意味することが意図されている。例えば、「４０ｍｍ」と開示された寸法は「約４０ｍｍ」を意味することが意図されており、「約１１００ｋＰａ」と開示された圧力は、１１０３．２ｋＰａを含むことが意図されている。
【００９６】
本明細書において引用されたすべての文献（例えば、任意の相互参照されるかまたは関係する特許または出願）は、明示的に除外されているか、あるいは別様に限定されない限り、その全体が参照により本明細書に組み込まれる。どんな文献の引用も、それが本明細書で開示または請求された任意の発明に対する従来技術であると認めるものではなく、または、それが単独でまたは任意の他の参考文献との任意の組み合わせで、任意のこのような発明を教示、示唆、または開示するものと認めるものではない。さらに、本文書における用語の任意の意味または定義が、参照することによって組み込まれた文書内の同じ用語の意味または定義と競合する限りにおいて、本文書においてその用語に与えられた意味または定義が適用されるものとする。範囲を規定するものとして本明細書で示したすべての限定を、範囲を規定する任意の他の限定とともに用いても良い。すなわち、ある範囲の上限を別の範囲の下限とともに用いても良く、逆もまた同様である。
【００９７】
本発明の特定の実施形態について例示および説明してきたが、当業者であれば明らかなように、他の種々の変更および修正を、本発明の趣旨および範囲から逸脱することなく施すことができる。したがって、本発明の範囲内にあるすべてのこのような変更および修正は、添付の請求項に包含されることが意図されている。
【図１】
2016534948.tif 000013
【図２Ａ】
2016534948.tif 000014
【図２Ｂ】
2016534948.tif 000015
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
再利用可能なエアゾールディスペンサ（２０）であって、以下の構成要素、
第１の端部における閉じた端底部と第２の端部における開いた首部（２４）とを有する外側容器（２２）であって、外側容器（２２）の内部容積を画定する、外側容器（２２）と、
内部バッグ（３２）を前記首部（２４）に接合する弁カップ（２６）と、
前記エアゾールディスペンサ（２０）からの製品（４２）を選択的に分配するためのバルブアセンブリ（２８）と、
前記首部（２４）を通って周囲に漏れることを防止するシールと、
ここで、前述の構成要素はそれぞれ、米国プラスチック工業協会によって規定される単一クラスの再利用可能材料からなる群から選択され、
前記外側容器（２２）の直径は約７．６２ｃｍ以下であり、
前記外側容器（２２）の容積は約１１８ｃｃ〜約１０００ｃｃの範囲であり、
不燃性噴射剤（４０）であって、ゲージ圧力は５０℃において約１１００ｋＰａ未満である、不燃性噴射剤（４０）と、を含む、再利用可能なエアゾールディスペンサ（２０）。
【請求項２】
単一クラスの再利用可能材料から選択されるそれぞれの前記構成要素は、クラス１の再利用可能材料から選択される、請求項１に記載の再利用可能なエアゾールディスペンサ（２０）。
【請求項３】
内部バッグ（３２）であって、内部バッグ（３２）の内部容積を画定し、噴霧可能な製品（４２）を内部に有する内部バッグ（３２）をさらに含み、
前記外側容器（２２）の容積は約１１８ｃｃ〜約１０００ｃｃであり、最初の使用前は、前記内部バッグ（３２）の内部バッグ（３２）容積は、前記外側容器（２２）の容積の約９７％以下である、請求項１および２に記載の再利用可能なエアゾールディスペンサ（２０）。
【請求項４】
最初の使用前は、前記内部バッグ（３２）の内部バッグ（３２）容積は、前記外側容器（２２）容積の約７０〜約９０％である、請求項３に記載のエアゾールディスペンサ（２０）。
【請求項５】
前記製品（４２）と前記噴射剤（４０）とは、前記外側容器（２２）内で混合される、請求項１および２に記載の再利用可能なエアゾールディスペンサ（２０）。
【請求項６】
前記外側容器（２２）から前記バルブアセンブリ（２８）まで連絡し、前記混合された製品（４２）および噴射剤（４０）を分配するディップチューブ（３４）をさらに含む、請求項５に記載の再利用可能なエアゾールディスペンサ（２０）。
【請求項７】
前記噴射剤（４０）の圧力は、５０℃において約２１０〜約９６５ｋＰａの範囲である、請求項１〜６のいずれか一項に記載の再利用可能なエアゾールディスペンサ（２０）。
【請求項８】
前記ゲージ圧力は、５０℃において約６２０ｋＰａ未満である、請求項７に記載の再利用可能なエアゾールディスペンサ（２０）。
【請求項９】
前記外側容器（２２）の容積は約２８０〜約５９２ｃｃの範囲である、請求項１〜８のいずれか一項に記載の再利用可能なエアゾールディスペンサ（２０）。
【請求項１０】
製品（４２）を内部に含み、前記製品（４２）は約１５．８重量パーセント以下のエタノールおよび／またはイソプロピルアルコールを水溶性混合物中に含む、請求項１〜９のいずれか一項に記載の再利用可能なエアゾールディスペンサ（２０）。
【請求項１１】
前記外側容器（２２）は本質的にＰＥＴからなる、請求項１〜１０のいずれか一項に記載の再利用可能なエアゾールディスペンサ（２０）。
【請求項１２】
前記シールはＴＰＥを含む、請求項１〜１１のいずれか一項に記載の再利用可能なエアゾールディスペンサ（２０）。
【請求項１３】
前記シールは本質的に親水性ＴＰＥ−Ｅ系化合物からなる、請求項１２に記載の再利用可能なエアゾールディスペンサ（２０）。
【請求項１４】
前記噴射剤（４０）はトランス−１，３，３，３−テトラフルオロプロパ−１−エンを含む、請求項１〜１３のいずれか一項に記載の再利用可能なエアゾールディスペンサ（２０）。
【請求項１５】
前述の構成要素はそれぞれ、本質的にバージン原料またはその粉砕再生材料からなる、請求項１〜１４のいずれか一項に記載の再利用可能なエアゾールディスペンサ（２０）。
【国際調査報告】
2016534948.tif 000016
2016534948.tif 000017
2016534948.tif 000018